(57)【特許請求の範囲】
【請求項１】
所定部材(6) に装着孔(35)を形成し、この装着孔(35)に一部が嵌合するように所定部材(6) に前側から遊技部品(15)を装着した遊技機において、装着孔(35)に嵌合する後部材(39)と、この後部材(39)に前側から固定具により着脱自在に結合される前部材(38)とを備え、後部材(39)を装着孔(35)に前側から挿入した時に弾性変形して所定部材(6) に後側から係合する係合爪(50)を該後部材(39)に設け、前部材(38)の外周側に、係合爪(50)が所定部材(6) に係合した時に、所定部材(6) に前側から当接する前フランジ部(42)を設けたことを特徴とする遊技機。
【請求項２】
所定部材(6) の厚さ内の位置で後部材(39)の外周側に係合爪(50)を設け、装着孔(35)の内周側に、係合爪(50)が後側から係合する段部(55)を設けたことを特徴とする請求項１に記載の遊技機。
【請求項３】
後部材(39)に、この後部材(39)に対して前部材(38)を位置決めする２個一組の位置決め突起(49)を周方向に複数組設け、この２個一組の位置決め突起(49)間に係合爪(50)を配置したことを特徴とする請求項１又は２に記載の遊技機。
【請求項４】
所定部材(6) の裏面側に装着した集球案内板等の裏部材(27)により、後部材(39)の後側への移動を規制するようにしたことを特徴とする請求項１〜３の何れかに記載の遊技機。
【請求項５】
前部材(38)の外周に、所定部材(6) の装着孔(35)を前側から塞ぐ前フランジ部(42)を設けたことを特徴とする請求項１〜３の何れかに記載の遊技機。
【請求項６】
固定具がネジ(58)であり、前部材(38)にネジ(58)用の挿入孔(60)を、後部材(39)にネジ(58)用の螺合孔(59)を夫々設けたことを特徴とする請求項１〜５の何れかに記載の遊技機。
【発明の詳細な説明】
【０００１】
【発明の属する技術分野】
本発明は、パチンコ機、アレンジボール機等の弾球遊技機、回胴式遊技機を含む各種の遊技機、取り分けその遊技部品の装着構造に関するものである。
【０００２】
【従来の技術】
パチンコ機、アレンジボール機等の弾球遊技機においては、遊技盤にガイドレールを装着し、このガイドレールの内側に入賞手段、変動図柄表示手段、風車等の各種の遊技部品を配置している。
この種の遊技部品は、従来、遊技部品本体の外周側に、遊技盤の前面に当接する取り付けベースを一体に形成し、この取り付けベースに複数個の取り付け孔を形成している。そして、この遊技部品を遊技盤に装着する際には、各遊技部品の装着部位に対応するように遊技盤側に装着孔を形成しておき、各遊技部品本体の後部側を必要に応じて各装着孔に前側から挿入した状態で、その取り付けベースの取り付け孔に挿入したネジを遊技盤に締め付けて固定している。
【０００３】
【発明が解決しようとする課題】
遊技盤側の組み立てに際しては、遊技盤を作業台上に水平に置いた後、各遊技部品の後部側を各装着孔に挿入して遊技盤上にセットする。そして、各遊技部品のセットが完了すれば、次にその位置で各遊技部品の取り付けベースの取り付け孔にネジを挿入し、そのネジを電動ドライバー等の工具で締め付けて遊技盤に固定している。
【０００４】
しかし、遊技部品を装着孔に合わせて遊技盤に取り付ける場合、装着孔は通常、遊技部品の後部より若干大きめに形成されているので、遊技盤上で遊技部品の後部を装着孔に挿入しただけでは、遊技盤上での遊技部品の位置が定まり難く、位置決めに時間を要するという欠点がある。
【０００５】
即ち、遊技部品の後部が装着孔に一致するように、遊技盤の装着孔を遊技部品の後部の大きさに合わせて形成すると、遊技部品の装着時に、遊技部品の後部が装着孔の周縁部に引っ掛かる場合があり、また、装着孔の形成時に生じるルーターの磨耗や製作誤差等によって装着孔が遊技部品の後部より小さくなり、遊技部品の挿入ができなくなるという問題もある。
【０００６】
そこで、通常、装着孔を若干大きめに形成しているが、装着孔が大きくなれば、遊技部品の挿入が容易になる反面、遊技部品を装着孔に挿入しても位置が定まり難く、ネジを締め付けて取り付けベースを固定する前に遊技部品の位置決めが不可欠となり、位置決めに時間を要する。
【０００７】
また各遊技部品を遊技盤の所定位置に位置決めした後、その取り付けベースをネジで遊技盤に固定する必要があるため、各遊技部品を遊技盤に装着する際には、各遊技部品毎にそのネジの締め付け作業が不可欠である。
【０００８】
従って、従来では、各遊技部品を遊技盤の所定位置にセットし位置決めする作業が非常に煩わしく、作業能率が著しく低下すると共に、各遊技部品毎にネジの締め付け作業が不可欠であり、これが遊技部品の装着作業の自動化を図る上で大きな問題となっている。
【０００９】
本発明は、かかる従来の課題に鑑み、遊技盤等の所要部材の装着部位に容易且つ確実に位置決めして固定でき、従来に比較して装着作業の能率化が向上すると共に、作業の自動化を容易に図ることができる遊技機を提供することを目的とする。
【００１０】
【課題を解決するための手段】
請求項１に記載の本発明は、所定部材6 に装着孔35を形成し、この装着孔35に一部が嵌合するように所定部材6 に前側から遊技部品15を装着した弾球遊技機において、装着孔35に嵌合する後部材39と、この後部材39に前側から固定具により着脱自在に結合される前部材38とを備え、後部材39を装着孔35に前側から挿入した時に弾性変形して所定部材6 に後側から係合する係合爪50を該後部材39に設け、前部材38の外周側に、係合爪50が所定部材6 に係合した時に、所定部材6 に前側から当接する前フランジ部42を設けたものである。
【００１１】
請求項２に記載の本発明は、請求項１に記載の発明において、所定部材6 の厚さ内の位置で後部材39の外周側に係合爪50を設け、装着孔35の内周側に、係合爪50が後側から係合する段部55を設けたものである。
【００１２】
請求項３に記載の本発明は、請求項１又は２に記載の発明において、後部材39に、この後部材39に対して前部材38を位置決めする２個一組の位置決め突起49を周方向に複数組設け、この２個一組の位置決め突起49間に係合爪50を配置したものである。
【００１３】
請求項４に記載の本発明は、請求項１〜３の何れかに記載の発明において、所定部材6 の裏面側に装着した集球案内板等の裏部材27により、後部材39の後側への移動を規制するようにしたものである。
【００１４】
請求項５に記載の本発明は、請求項１〜４の何れかに記載の発明において、前部材38の外周に、所定部材6 の装着孔35を前側から塞ぐ前フランジ部42を設けたものである。
【００１５】
請求項６に記載の本発明は、請求項１〜５の何れかに記載の発明において、固定具がネジ58であり、前部材38にネジ58用の挿入孔60を、後部材39にネジ58用の螺合孔59を夫々設けたものである。
【００１６】
【発明の実施の形態】
以下、本発明の実施の形態を図面に基づいて詳述する。
図１乃至図１２は本発明をアレンジボール機に採用した第１の実施形態を示す。図１はアレンジボール機の全体を示し、図１において、1 は機枠、2 は前枠で、機枠1 の前面側に開閉自在に枢着されている。前枠2 にはその窓孔3 にガラス扉4 及び前面板5 が装着され、これらに対応して窓孔3 内に裏側から遊技盤6 が着脱自在に装着されている。
【００１７】
前面板5 には上皿7 が装着され、この上皿7 の前縁部に、上皿7 内の遊技球を抜き取る上球抜きレバー8 が設けられている。前枠2 の下部には下皿9 と発射手段10の発射ハンドル11とが設けられている。
発射手段10は、発射ハンドル11を操作した時に上皿7 から遊技球を１個づつ発射部に供給し、その遊技球を発射モータに連動する打撃槌で打撃して遊技盤6 側に発射するようになっている。
【００１８】
遊技盤6 はベニヤ板等を略正方形状に切断したものであって、発射手段10により発射された遊技球を案内するガイドレール12が設けられると共に、このガイドレール12の内部側に天入球口13、入球口14付きの変動図柄表示手段15、中央入賞手段16、左上表示手段17、右上入賞手段18、左右入球口19,20 及びコーナーランプ21等の各遊技部品が配置され、これらの下側に入球口手段22が設けられている。
【００１９】
入球口手段22は、１６個の入球口23を横一列状に備えると共に、前面側から１６連カバー24により覆われ、この１６連カバー24に入賞図柄表示手段25が設けられている。入賞図柄表示手段25は入球口手段22の１６個の入球口23に対応する図柄表示部26を横一列状に配置してなり、発射された遊技球が何れかの入球口23に入った時に、それに対応する図柄表示部26が点灯して１〜１６までの数字を表示するようになっている。
【００２０】
遊技盤6 の裏面側には、図２に示すように集合板27が装着されており、この集合板27に、天入球口13、入球口14、中央入賞手段16、右上入賞手段18、左右入球口19,20 等に入賞して遊技盤6 の裏側に通過した遊技球を下方に案内する案内通路28〜30が形成されると共に、各案内通路28〜30に遊技球の検出スイッチ31〜33が設けられている。
【００２１】
天入球口13、変動図柄表示手段15、中央入賞手段16、左上表示手段17、右上入賞手段18、左右入球口19,20 及びコーナーランプ21等の各遊技部品は、図２に示すように、遊技盤6 に形成された装着孔34〜37等に一部が嵌合するように、対応して遊技盤6 の前側から装着さている。
【００２２】
変動図柄表示手段15は、図３乃至図１２に示すようになっている。即ち、変動図柄表示手段15は、図３乃至図８に示すように、前部材38と後部材39と液晶式表示部40とを備え、遊技盤6 の装着孔35に前側から嵌合して装着されている。
【００２３】
前部材38は、液晶式表示部40に対応する大きさで且つ左右が湾曲する矩形状の前胴部41と、この前胴部41の前端外周に、外周側が遊技盤6 の前面に当接して遊技盤6 の装着孔35を前側から覆うように一体に形成された前フランジ部42と、この前フランジ部42の上端部に一体に形成された通路43とを備えている。そして、前フランジ部42の上部側には、アーチ状の庇部44が設けられ、この庇部44に、前フランジ部42の頂部側の通路43に連通する入球口14と、この入球口14の下側に配置されたレンズ部45とが設けられている。
【００２４】
後部材39は、図９乃至図１１に示すように、矩形状の後胴部46と、この後胴部46の前端外周側の後フランジ部47と、集合板27に前側から当接する後当接部48と、前部材38を位置決めする２個一組の位置決め突起49と、この２個一組の位置決め突起49間に配置された係合爪50と、前部材38を着脱自在に取り付ける取り付け部51とを一体に備えている。
【００２５】
後部材39は遊技盤6 の厚さ内に収まる寸法であって、後胴部46の後端が遊技盤6 の裏面側と略面一状となっており、その後端に液晶式表示部40が装着されている。後胴部46は前広がりのテーパー状に構成され、この後胴部46の前端外周に後フランジ部47が一体に形成されている。
【００２６】
後当接部48は、後部材39の外周側で周方向の４か所、つまり後胴部46の下辺側の左右両端部と左右両側辺の上端部との４か所に夫々配置され、後胴部46と後フランジ部47とを補強するように、これらに跨がって一体形成されている。
【００２７】
即ち、後当接部48は、図８にも示すように、後胴部46と後フランジ部47とに跨がって一体に形成された一対の補強板部52と、この一対の補強板部52の外端側を連結する連結板部53とを備えた背面視コ字状であって、後胴部46の後端と面一状に構成されている。そして、この後当接部48に集合板27が裏側から当接され、この集合板27により後部材39が裏側から押さえられている。
【００２８】
２個一組の位置決め突起49は、前後の胴部41,46 が相対応するように後部材39に対して前部材38を位置決めするためのものであって、各後当接部48の連結板部53側から前側に突出するように一体に形成されており、この２個一組の位置決め突起49間に前部材38の前胴部41が前側から着脱自在に嵌合されている。
なお、各位置決め突起49は、後当接部48の補強板部52と連結板部53との隅部に対応して断面Ｌ字状に構成されている。
【００２９】
各係合爪50は、後当接部48が集合板27に当接した状態で遊技盤6 の段部55側に後側から係合して後部材39を装着孔35内に係止するためのもので、後部材39を遊技盤6 の装着孔35に前側から嵌合させた時に内外方向に弾性変形して段部55に係合するようになっている。
【００３０】
この係合爪50は、図１２に示すように、外側に傾斜案内面54が、先端外側に傾斜当接面56が夫々設けられている。傾斜案内面54は、後部材39を遊技盤6 の装着孔35に前側から挿入する時に、装着孔35の周縁部により押圧されて係合爪50が内側に弾性変形するように案内するためのものである。傾斜当接面56は、傾斜案内面54が段部55を通過して係合爪50が外側に復元した時に、その段部55に後側から当接し係合するようになっている。
【００３１】
取り付け部51は、前部材38の前フランジ部42を前側からネジ58により着脱自在に取り付けるためのものであって、後部材39の後フランジ部47の上端部に突起部57を介して左右一対設けられると共に、下辺側の左右の２個一組の位置決め突起49の内、その内側の位置決め突起49に設けられている。従って、この取り付け部51は、後部材39の上下両端部の左右に夫々１個づつ配置されている。
【００３２】
各取り付け部51にはネジ58用の螺合孔59が形成され、また前部材38の前フランジ部42には各取り付け部51の螺合孔59に対応してネジ58の挿入孔60が形成されている。そして、前部材38は、前フランジ部42の挿入孔60に前側から挿入したネジ58を取り付け部51の螺合孔59に螺合することにより、前胴部41の後端が後フランジ部47に当接するように後部材39に前側から着脱自在に固定されている。
【００３３】
なお、集合板27には変動図柄表示手段15の液晶式表示部40に対応して切り欠き部61が設けられている。
上記構成のアレンジボール機において、遊技盤6 に各遊技部品を装着して遊技盤ユニットを組み立てる場合には、次のようにする。
【００３４】
即ち、遊技盤6 の裏面側に集合板27を釘等で装着した後、この遊技盤6 を前側が上面となるように作業台上に載置し、その状態で遊技盤6 の各装着孔35に夫々対応する遊技部品を位置決めしながら取り付けて行く。
変動図柄表示手段15は、通常、後部材39に液晶式表示部40を装着し、この後部材39にネジ58で前部材38を固定している。
【００３５】
そこで、この変動図柄表示手段15を遊技盤6 に装着する場合には、変動図柄表示手段15の後部材39側を遊技盤6 の装着孔35に合わせて、この後部材39の後端側を装着孔35に嵌合させる。この時、後部材39の後端側が装着孔35に嵌合すれば、後部材39に４個の係合爪50があり、その各係合爪50の傾斜案内面54が装着孔35の前端側に当接した状態になる。
【００３６】
次に変動図柄表示手段15を遊技盤6 側に押圧して、後部材39が集合板27に当接するまで装着孔35内に押し込む。すると各係合爪50の傾斜案内面54が装着孔35の段部55の内側に当接して摺動するので、この傾斜案内面54の傾斜角度に応じて各係合爪50が内側に弾性変形し、各係合爪50が装着孔35の段部55側を無理なく円滑に通過して行く。
【００３７】
そして、後部材39の後当接部48か集合板27に当接した時に、各係合爪50の傾斜案内面54が段部55を完全に通過するようになっているので、各係合爪50がその弾性力により外側に弾性変形して復元し、傾斜当接面56が段部55に後側から当接する。このため、後部材39は遊技盤6 の装着孔35内で前後方向に移動不能に固定できる。従って、変動図柄表示手段15を遊技盤6 の装着部位に容易且つ確実に位置決めして固定でき、従来に比較して装着作業の能率化が向上すると共に、作業の自動化を容易に図ることができる。特に変動図柄表示手段15を遊技盤6 の装着孔35に合わせて押し込む押し込み作業により装着できるので、ネジの締め付けによる従来の作業に比べて作業能率が一段と向上する。
【００３８】
一方、後部材39の係合爪50が装着孔35内の段部55に係合すると共に、前部材38の前フランジ部42が遊技盤6 の前面側に当接して、前部材38の外周側の装着孔35を前側から完全に塞ぐ。これによって、変動図柄表示手段15を遊技盤6 の所定位置に位置決めした状態で容易且つ確実に装着することができ、変動図柄表示手段15をネジ58で遊技盤6 に固定する従来と殆ど同じになる。また前フランジ部42で装着孔35の外周側を塞いでいるため、変動図柄表示手段15を遊技盤6 に装着した状態での前側からの見栄えが良好である。
【００３９】
係合爪50に傾斜案内面54を形成しているため、後部材39を装着孔35内に挿入する時に、係合爪50が内側に無理なく弾性変形して容易に挿入できる。また係合爪50には傾斜当接面56があるため、係合爪50の弾性変形による復元量をある程度確保しておけば、各部に多少の製作誤差等がある場合でも、後部材39が集合板27に当接するか、又は前部材38の前フランジ部42が遊技盤6 に当接した状態で係合爪50を確実に段部55に係合させることが可能であり、変動図柄表示手段15を遊技盤6 に確実に固定できる。
【００４０】
遊技盤6 に各遊技部品を組み付けた後、変動図柄表示手段15の前部材38を損傷、その他の原因で交換する場合には、次のように行う。即ち、変動図柄表示手段15の後部材39は係合爪50で遊技盤6 の装着孔35内に係止しているが、前部材38は後部材39の取り付け部51に前側から４個のネジ58で着脱自在に取り付けているので、ドライバー等により各ネジ58を緩み方向に廻せば良い。つまり、各ネジ58を緩み方向に廻して４個のネジ58を取り外すと、装着孔35内の後部材39とその前側の前部材38との結合を解除できる。従って、前部材38を前側に引き抜けば、前部材38の前胴部41が後部材39の４組の位置決め突起49間から外れて、後部材39が遊技盤6 の装着孔35内に残した状態のままで、前部材38のみを遊技盤6 から取り外すことができる。
【００４１】
次に、別の前部材38を準備し、その前部材38の前胴部41を後部材39の４組の位置決め突起49間に嵌合させて位置決めする。そして、前部材38の前フランジ部42の各挿入孔60にネジ58を挿入した後、各ネジ58を取り付け部51の螺合孔59に螺合し締め付けて行くと、前部材38の前胴部41が後部材39の後フランジ部47に当接し、且つ前フランジ部42が遊技盤6 に当接した状態で前部材38を固定できる。
【００４２】
従って、後部材39の係合爪50を遊技盤6 の装着孔35内で段部55に係合させて変動図柄表示手段15を遊技盤6 に固定する構造を採用しているにも拘わらず、変動図柄表示手段15を遊技盤6 に装着した後、その前部材38の損傷等が生じた場合には、従来と同様にドライバー等の工具でネジ58を廻すことによって、その前部材38を遊技盤6 に対して容易に着脱でき、前部材38の交換等が非常に容易である。
【００４３】
前部材38を後部材39から取り外した時にも、遊技盤6 の裏面側の集合板27で後部材39を押さえているので、装着孔35内の後部材39が遊技盤6 から裏側に離脱することがない。このため、装着孔35内の後部材39に合わせて前部材38をセットして、この前部材38をネジ58で後部材39に締結する場合にも、その作業が非常に容易である。
【００４４】
また集合板27は後部材39の裏側への移動、離脱を阻止できれば良いので、前部材38の前フランジ部42が遊技盤6 の前面に当接し、且つ係合爪50が段部55に係合した状態では、必ずしも後部材39を集合板27に当接させる必要はない。そのため、集合板27を利用する程度でも十分であり、部材の無駄がなく容易且つ安価に実施できる。
【００４５】
後部材39は遊技盤6 の厚さ内の寸法であるため、変動図柄表示手段15を薄型にして小型化できる。しかも、後部材39を遊技盤6 の厚さ内の寸法にする一方、この後部材39の外周に係合爪50を設け、この係合爪50を装着孔35内の段部55に係合させているため、係合爪50が外部に露出せず、変動図柄表示手段15を遊技盤6 に装着した後における係合爪50の損傷等を極力防止できる。
【００４６】
後部材39に２個一組の位置決め突起49を周方向に複数組配置し、この複数組の位置決め突起49間に前部材38の前胴部41を嵌合させて位置決めしているため、遊技盤6 の装着孔35内の後部材39に前部材38を前側から合わせる場合にも、インロー構造等に比較して前部材38の位置合わせが容易である。しかも、２個一組の位置決め突起49間に係合爪50を配置しているため、各位置決め突起49によって係合爪50を保護することができる。また２個一組の位置決め突起49間に係合爪50があり、一か所に３個の突起状のものが集中するため、組み立て前の取り扱い時の損傷も少なくできる。
【００４７】
更に遊技盤6 の裏面側の集合板27に当接する当接部を後部材39の後胴部46と後フランジ部47とに跨がって設け、この後当接部48に位置決め突起49と係合爪50とを設けているため、後部材39側の構造を簡素化しつつも、その後当接部48によって後部材39側を補強でき、位置決め突起49と係合爪50とを後部材39に対して強固に固定することができる。
【００４８】
図１３乃至図１５は本発明の第２の実施形態を例示し、前部材38と後部材39とに分割した入賞手段16等に遊技部品において、後部材39を枠状に構成し、この後部材39の枠部に、斜め外側に突出する係合爪50と、前部材38をネジ58で着脱自在に取り付ける取り付け部51とを設けると共に、係合爪50の先端面を、前後方向に対して略直角に形成したものである。なお、段部55は遊技盤6 の中央よりも前側に寄せても良い。
【００４９】
この実施形態の場合にも、第１の実施形態と同様の効果を得ることができる。即ち、前部材38と後部材39とをネジ58で結合した後、その後部材39を図１４に示すように遊技盤6 の装着孔35に合わせて押し込む。すると図１３に示すように、後部材39が装着孔35に嵌合し、その係合爪50が弾性変形して段部55側に係合する。なお、この状態では、前部材38が遊技盤6 の前面側に当接し、また必要に応じて後部材39が集合板27に当接する。
【００５０】
前部材38を取り外す場合には、ネジ58をドライバー等で抜けば、図１５に示すように後部材39を遊技盤6 の装着孔35内に残した状態のままで、その前部材38を後部材39から分離できる。
以上、本発明の実施形態について説明したが、本発明はこれに限定されるものではない。
【００５１】
例えば、実施形態では、変動図柄表示手段15、入賞手段16等について例示しているが、その他の各遊技部品においても同様に実施することが可能である。
係合爪50は遊技盤6 の裏面に係合するように構成しても良い。
実施形態では、装着孔35内の後部材39を集合板27で押さえて、後部材39の後方への移動又は離脱を規制しているが、集合板27である必要はなく、その他の裏部材で規制するようにしても良い。
【００５２】
後部材39は遊技盤6 の厚さ以上の寸法とし、係合爪50を段部55に係合させた時に、後部材39の一部が遊技盤6 から後方に突出するようにしても良い。
ネジ58は固定具の一例であり、ネジ58以外の固定具を用いても良い。
また実施形態では、所要部材として遊技盤6 を例示し、これに遊技部品を装着する用にしているが、所要部材は遊技盤6 以外のものでも良い。従って、同様の構成を採る限り、パチンコ機、アレンジボール機等の弾球遊技機は勿論のこと、回胴式遊技機等の各種の遊技機においても実施可能であることは言うまでもない。
【００５３】
【発明の効果】
請求項１に記載の本発明によれば、所定部材6 に装着孔35を形成し、この装着孔35に一部が嵌合するように所定部材6 に前側から遊技部品15を装着した弾球遊技機において、装着孔35に嵌合する後部材39と、この後部材39に前側から固定具により着脱自在に結合される前部材38とを備え、後部材39を装着孔35に前側から挿入した時に弾性変形して所定部材6 に後側から係合する係合爪50を該後部材39に設け、前部材38の外周側に、係合爪50が所定部材6 に係合した時に、所定部材6 に前側から当接する前フランジ部42を設けているので、遊技部品15を所定部材6 の装着部位に容易且つ確実に位置決めして固定でき、従来に比較して装着作業の能率化が向上すると共に、作業の自動化を容易に図ることができる。
【００５４】
請求項２に記載の本発明によれば、請求項１に記載の発明において、所定部材6 の厚さ内の位置で後部材39の外周側に係合爪50を設け、装着孔35の内周側に、係合爪50が後側から係合する段部55を設けているので、全体を薄型にできると共に、係合爪50等を所定部材6 の板厚内に収めることができる。
【００５５】
請求項３に記載の本発明によれば、請求項１又は２に記載の発明において、後部材39に、この後部材39に対して前部材38を位置決めする２個一組の位置決め突起49を周方向に複数組設け、この２個一組の位置決め突起49間に係合爪50を配置しているので、位置決め突起49により前部材38を位置決めできると同時に、位置決め突起49により係合爪50を保護でき、また位置決め突起49及び係合爪50の損傷を少なくできる。
【００５６】
請求項４に記載の本発明によれば、請求項１〜３の何れかに記載の発明において、所定部材6 の裏面側に装着した集球案内板等の裏部材27により、後部材39の後側への移動を規制するようにしているので、所定部材6 に装着した後に前部材38を着脱するに際して、前部材38を固定具により後部材39に取り付ける時の作業を容易にできる。
【００５７】
請求項５に記載の本発明によれば、請求項１〜４の何れかに記載の発明において、前部材38の外周に、所定部材6 の装着孔35を前側から塞ぐ前フランジ部42を設けているので、所定部材6 の装着孔35内に嵌合する後部材39を係合爪50により係止する構造であるにも拘わらず、装着状態の見栄えを良好にできる。
【００５８】
請求項６に記載の本発明によれば、請求項１〜４の何れかに記載の発明において、固定具がネジ58であり、前部材38にネジ58用の挿入孔60を、後部材39にネジ58用の螺合孔59を夫々設けているので、ネジ58の操作で前部材38と後部材39とを容易に着脱でき、特に所定部材6 に装着後の前部材38の着脱を容易にできる。
【図面の簡単な説明】
【図１】本発明の第１の実施形態を示すアレンジボール機の正面図である。
【図２】本発明の第１の実施形態を示す遊技盤の背面図である。
【図３】本発明の第１の実施形態を示す変動図柄表示手段の正面図である。
【図４】本発明の第１の実施形態を示す変動図柄表示手段の背面図である。
【図５】本発明の第１の実施形態を示す変動図柄表示手段の側面断面図である。
【図６】本発明の第１の実施形態を示す変動図柄表示手段の側面断面図である。
【図７】本発明の第１の実施形態を示す変動図柄表示手段の底面断面図である。
【図８】本発明の第１の実施形態を示す変動図柄表示手段の部分斜視図である。
【図９】本発明の第１の実施形態を示す後部材の正面図である。
【図１０】本発明の第１の実施形態を示す後部材の底面図である。
【図１１】本発明の第１の実施形態を示す後部材の側面図である。
【図１２】本発明の第１の実施形態を示す係合部分の拡大断面図である。
【図１３】本発明の第２の実施形態を示す変動図柄表示手段の平面断面図である。
【図１４】本発明の第２の実施形態を示す装着時の平面断面図である。
【図１５】本発明の第２の実施形態を示す分解時の平面断面図である。
【符号の説明】
6   遊技盤
15  変動図柄表示手段（遊技部品）
35  装着孔
38  前部材
39  後部材
42  前フランジ部
49  位置決め突起
50  係合爪
55  段部
58  ネジ
59  螺合孔
60  挿入孔
【図１】
0004031071.tif 000002
【図２】
0004031071.tif 000003
【図３】
0004031071.tif 000004
【図４】
0004031071.tif 000005
【図５】
0004031071.tif 000006
【図６】
0004031071.tif 000007
【図７】
0004031071.tif 000008
【図１２】
0004031071.tif 000009
【図８】
0004031071.tif 000010
【図９】
0004031071.tif 000011
【図１０】
0004031071.tif 000012
【図１１】
0004031071.tif 000013
【図１３】
0004031071.tif 000014
【図１４】
0004031071.tif 000015
【図１５】
0004031071.tif 000016